(57)【要約】【課題】キャップ本体の外筒下端内周に設けられる係合凸部と、容器口部の上端外周に設けられる係合リングとにおける両者の形状や位置関係を適切に設定することにより、シール不良の発生を防止することができる打栓構造を提供する。【解決手段】キャップ本体外周部の短天板から下方に垂下した内筒と外筒との間に容器口部を嵌入させ、外筒の下端内周に突出させた係合凸部３２を、容器口部の上端外周に突出させた係合リング３３を乗り越えさせることにより、キャップ本体を容器口部２に装着する打栓構造において、係合凸部３２の下部傾斜面３４と係合リング３３の上部傾斜面３５とを、水平面に対して２４〜２７度の範囲で外周方向が下降した実質的に同一の傾斜角度で形成するとともに、前記下部傾斜面の下縁を、前記上部傾斜面の上縁よりも外側で、かつ、上部傾斜面の下縁よりも内側に位置させる。【選択図】　　図２
2004067186.tif 000002
【特許請求の範囲】
【請求項１】
キャップ本体外周部の短天板から下方に垂下した内筒と外筒との間に容器口部を嵌入させ、前記外筒の下端内周に突出させた係合凸部を、前記容器口部の上端外周に突出させた係合リングを乗り越えさせることにより、キャップ本体を容器口部に装着する打栓構造において、前記係合凸部の下部傾斜面と前記係合リングの上部傾斜面とを、水平面に対して２４〜２７度の範囲で外周方向が下降した実質的に同一の傾斜角度で形成するとともに、前記下部傾斜面の下縁を、前記上部傾斜面の上縁よりも外側で、かつ、上部傾斜面の下縁よりも内側に位置させたことを特徴とする打栓構造。
【発明の詳細な説明】
【０００１】
【発明の属する技術分野】
本発明は、打栓構造に関し、詳しくは、プラスチックボトルの口部にキャップ本体を打栓することによってキャップを装着する打栓構造に関する。
【０００２】
【従来の技術】
醤油等の調味料を充填したプラスチックボトルの口部を密封する容器キャップとして、例えば、特開平９−２５５０１５号公報等に記載されているように、キャップ本体外周部の短天板から下方に垂下した内筒（シール筒、インナーリング）と外筒（周壁）との間に容器口部を嵌入させることにより、キャップ本体を容器口部に装着する打栓キャップが広く用いられている。
【０００３】
このような打栓キャップでは、一般に、外筒の内周に係合凸部（突条）を設けておき、この係合凸部を、容器口部の外周に設けた係合リングを乗り越えさせ、係合凸部の上面と係合リングの下面とを係合させることによってキャップ本体を容器口部に装着するようにしている。
【０００４】
【発明が解決しようとする課題】
しかし、従来の打栓構造では、キャップ本体の内周に設けられた内筒が容器口部の内側に嵌入することを中心に考えており、外筒の係合凸部と容器口部の係合リングとの関係は、嵌着時における打栓圧力を軽減しながら、より確実な係合力を得ることのみを重視していた。したがって、係合凸部の下部傾斜面と係合リングの上部傾斜面との関係や、係合凸部と係合リングとの位置関係についての検討はほとんどなされていなかった。
【０００５】
一方、打栓時において、容器口部に対してキャップが斜めに装着されたり、シール部分が傷付けられたりしてシール不良が発生しているが、これらのシール不良に対する解決策にしても、前述の係合凸部と係合リングとにおける相互の関連は、ほとんど考慮されていなかった。
【０００６】
そこで本発明は、キャップ本体の外筒下端内周に設けられる係合凸部と、容器口部の上端外周に設けられる係合リングとにおける両者の形状や位置関係を適切に設定することにより、シール不良の発生を防止することができる打栓構造を提供することを目的としている。
【０００７】
【課題を解決するための手段】
上記目的を達成するため、本発明の打栓構造は、キャップ本体外周部の短天板から下方に垂下した内筒と外筒との間に容器口部を嵌入させ、前記外筒の下端内周に突出させた係合凸部を、前記容器口部の上端外周に突出させた係合リングを乗り越えさせることにより、キャップ本体を容器口部に装着する打栓構造において、前記係合凸部の下部傾斜面と前記係合リングの上部傾斜面とを、水平面に対して２４〜２７度の範囲で外周方向が下降した実質的に同一の傾斜角度で形成するとともに、前記下部傾斜面の下縁を、前記上部傾斜面の上縁よりも外側で、かつ、上部傾斜面の下縁よりも内側に位置させたことを特徴としている。
【０００８】
【発明の実施の形態】
図１及び図２は、本発明の打栓構造の一形態例を示すもので、図１は容器口部に打栓キャップを装着した状態を示す断面図、図２は打栓キャップの係合凸部と容器口部の係合リングとの関係を説明するための要部断面図である。
【０００９】
プラスチックボトル１の口部２に打栓されることによって装着される打栓キャップ３は、容器口部２に嵌合するキャップ本体である内栓１０と、この内栓１０に螺合する外栓２０とにより形成されている。内栓１０は、内筒１１と外筒１２とが短天板１３で連結された嵌合筒１４と、該嵌合筒１４の上方に内筒１１から延出するようにして設けられ、外面に螺合部１５を有する注出筒１６とを有している。この注出筒１６の内部には、プルリング１７ａを有する密封板１７が薄肉部１７ｂを介して設けられており、上部には注ぎ口１８が設けられている。
【００１０】
また、外栓２０は、前記螺合部１５に螺合する螺合部２１を内面に有する側筒部２２と、天板２３の下面から前記注ぎ口１８内に嵌入するように突出した密封筒２４とを有しており、側筒部２２の下端が前記短天板１３の上面に当接するように装着される。
【００１１】
前記内栓１０は、内筒１１と外筒１２との間の嵌合溝３１内に容器口部２を嵌入させ、外筒１２の下端内周に突出させた係合凸部３２を、容器口部２の上端外周に突出させた係合リング３３を乗り越えさせることにより、容器口部２に十分なシール性を確保した状態で装着固定される。
【００１２】
このような打栓構造を有する容器口部２及び打栓キャップ３において、図２に拡大して示すように、前記係合凸部３２の下部傾斜面３４と前記係合リング３３の上部傾斜面３５との水平面に対する角度θａ，θｂを、水平面に対して２４〜２７度の範囲で外周方向が下降した実質的に同一の傾斜角度で形成する。例えば、上部傾斜面３５の角度θａが２６度の場合には、下部傾斜面３４の角度θｂを、±１度の範囲、即ち２５〜２７度の範囲に設定する。
【００１３】
この両傾斜面における角度設定において、両者の角度θａ，θｂが、水平面に対して２４度未満の場合には大きな打栓力を必要とし、また、２７度を超える場合や両者の角度が大きく異なる、例えば３度以上異なる場合は、打栓前に打栓キャップ３を容器口部２に載せたときの安定性が損なわれ、容器口部２に対して打栓キャップ３が斜めに装着される原因となる。
【００１４】
例えば、容器口部２の上部傾斜面３５の角度θａを２５．６度とし、打栓キャップ３の下部傾斜面３４の角度θｂを変化させて打栓に要する応力（打栓圧力）を測定したところ、角度θｂが２３度のときには打栓圧力が３９２Ｎ（約４０ｋｇｆ）であったのに対し、２４度では３５３Ｎ（約３６ｋｇｆ）、２５度では３４３Ｎ（約３５ｋｇｆ）となり、打栓圧力を１割以上軽減することができた。
【００１５】
さらに、係合リング３３の上部傾斜面３５における下縁部分の直径φＡ及び上縁部分の直径φＢと、係合凸部３２における下部傾斜面３４における下縁部分の直径φＣとの関係を、φＢ＜φＣ＜φＡとなるように設定する。各直径φＡ，φＢ，φＣの寸法差は、容器口部２の大きさや形状によっても異なるが、例えば、係合リング３３の上部傾斜面３５の直径φＢが３０ｍｍ、直径φＡが３２ｍｍの場合は、下部傾斜面３４の直径φＣを３０ｍｍを超える寸法で、３２ｍｍ未満の寸法とすればよい。
【００１６】
但し、直径φＣが直径φＢに近くなると、係合部分の寸法関係から、下部傾斜面３４の幅寸法が十分にとれなくなったり、また、下部傾斜面３４の幅寸法を大きくすると係合凸部３２が係合リング３３を乗り越える際の変形量が大きくなったりするので、直径φＣは直径φＡに近い寸法に設定することが好ましい。
【００１７】
このように、打栓時に圧力が加わる外筒１２下端内周の係合凸部３２と、容器口部２の係合リング３３とにおける両者の形状や位置関係を上述のように設定することにより、打栓前に打栓キャップ３を容器口部２に載せたときの安定性が向上し、さらに、打栓時の圧力を係合凸部３２及び係合リング３３の全周に均等に加えることができるので、打栓キャップ３が容器口部２に対して斜めに装着されたりすることがなくなり、また、無理な力が加わらないのでシール部分が傷付けられたりすることもなくなる。したがって、シール不良の発生を防止することができる。
【００１８】
【発明の効果】
以上説明したように、本発明の打栓構造によれば、打栓キャップを容器口部に対して設定された状態で確実に装着することができるので、シール部分が傷付けられたりすることもなくなり、打栓時におけるシール不良の発生を防止することができる。
【図面の簡単な説明】
【図１】本発明の打栓構造の一形態例を示すもので、容器口部に打栓キャップを装着した状態を示す断面図である。
【図２】打栓キャップの係合凸部と容器口部の係合リングとの関係を説明するための要部断面図である。
【符号の説明】
１…プラスチックボトル、２…口部、３…打栓キャップ、１０…内栓、１１…内筒、１２…外筒、１３…短天板、１４…嵌合筒、１５…螺合部、１６…注出筒、１７…密封板、１８…注ぎ口、２０…外栓、２１…螺合部、２２…側筒部、２３…天板、２４…密封筒、３１…嵌合溝、３２…係合凸部、３３…係合リング、３４…下部傾斜面、３５…上部傾斜面
【図１】
2004067186.tif 000003
【図２】
2004067186.tif 000004